(57)【要約】【課題】絵葉書として名宛人に郵送することができるとともに、受取人が、絵葉書の絵面を目で鑑賞するととともに、菓子を舌で味わうことができるようにした、菓子容器を提供する。【解決手段】透明菓子３を収容する菓子収容容器４と、菓子収容容器４を収容する外箱５と、絵葉書６とを備え、菓子収容容器４は、少なくとも、その底面Ｓ４ｂが、透明にされており、絵葉書６が、その絵面Ｓ６ａを、菓子収容容器４の底面Ｓ４ｂ側を向くように、菓子収容容器４と、外箱５との間に介挿される。【選択図】図３
2005280786.tif 000002
【特許請求の範囲】
【請求項１】
透明菓子を収容する菓子収容容器と、
前記菓子収容容器を収容する外箱と、
絵葉書とを備え、
前記菓子収容容器は、少なくとも、その底面が、透明にされており、
前記絵葉書が、その絵面を、前記菓子収容容器の底面側を向くように、前記菓子収容容器と、前記外箱との間に介挿される、菓子容器。
【請求項２】
前記外箱の底面が、前記絵葉書のサイズよりやや小さいサイズの開口窓を備える、請求項１に記載の菓子容器。
【請求項３】
前記外箱が、
前記菓子収容容器を収容する、
上部に開口部を有する外箱本体部と、
蓋体部とを備え、
前記蓋体部が、前記透明菓子を収容する菓子収容容器の底面の領域に相当する部分に開口窓を有し、且つ、前記外箱本体部の開口部に対し、開閉可能に設けられている、請求項１又は請求項２に記載の菓子容器。
【請求項４】
請求項１〜請求項３のいずれかに記載の菓子容器の、前記菓子収容容器内に、透明菓子を収容し、前記菓子収容容器の表面に、前記菓子収容容器内に収容されている透明菓子を覆うように透明シートのＰＴＰ包装をした、菓子。
【発明の詳細な説明】
【技術分野】
【０００１】
本発明は、菓子容器及び菓子に関し、特に、絵葉書として名宛人に郵送することができるとともに、受取人が、絵葉書の絵面を目で鑑賞するととともに、菓子を舌で味わうことができるようにした、菓子容器及び菓子に関する。
【背景技術】
【０００２】
旅先等の名所や史跡等や、結婚や子供の誕生等や、新居等の便りとして、親しい友人や、親類や、家族等に絵葉書を郵送するようなことは、良く行なわれる。
【０００３】
通常、絵葉書を郵送する側の人は、受け取る人の喜ぶ顔を想像し、絵葉書の宛名下記欄に、親しい友人や、親類や、家族等の、住所又は居所、氏名、近況に関する文章等を書いて、切手を貼って、絵葉書を郵便ポストに投函したり、郵便局に差し出したりする。
【０００４】
一方、絵葉書を受け取った人は、差出人の近況を知ったり、絵葉書の絵面（絵画や写真など）を目で鑑賞したりする。
【０００５】
また、近時、マルチメディア端末を利用して個人的に簡単に絵葉書を作成するような技術も開発されている。
【特許文献１】特開２０００−１３４４５６号
【発明の開示】
【発明が解決しようとする課題】
【０００６】
しかしながら、従来の絵葉書は、絵葉書を受け取った人は、差出人の近況を知ったり、絵葉書の絵面（絵画や写真など）を目で鑑賞したりすることはできても、絵葉書の絵面（絵画や写真など）にちなんだ菓子や、絵葉書の絵面（絵画や写真など）に関係した菓子を、舌で味わうことができなかった。
【０００７】
また、絵葉書の差出人も、絵葉書を送っただけでは、絵葉書の受け取り人が喜ばないかも知れない、というような場合には、絵葉書だけでなく、旅先等の名所や史跡等にちなんだ菓子や、結婚や子供の誕生等や新居等の報告に関連した菓子を小包で送るようなことをしている。
【０００８】
更に、名所や史跡等の土産物店では、観光客向けに、絵葉書や、複数の絵葉書を絵葉書入れに収容したものを販売したりしているが、観光客等の方からは、絵葉書や、複数の絵葉書を絵葉書入れに収容したものは、土産物店に通常おいてあるものであるので、これらに飽きており、購買意欲が湧かない傾向があり、土産物店側からは、観光客等の関心を引き購買意欲をかきたてるような商品を開発して欲しいという要望がある。
【０００９】
また、絵葉書の差出人の立場からすれば、絵葉書を送っただけでは、絵葉書の受け取り人に対し失礼になるかもしれないが、絵葉書を送るとともに、別便で、菓子までを送ると大げさすぎるかもしれないような相手先もあり、このような場合、絵葉書の差出人は、絵葉書だけを送って済ませるか、絵葉書を送るとともに、別便で、菓子も送るべきかについて悩むことになる、といったような問題がある。
【００１０】
本発明は、以上の問題を解決するためになされたものであって、絵葉書を受け取った人が、差出人の近況を知ったり、絵葉書の絵面（絵画や写真など）を目で鑑賞したりするだけでなく、菓子を舌で味わうことができるようにした、菓子容器及び菓子を提供することを目的としている。
【課題を解決するための手段】
【００１１】
請求項１に記載の菓子容器は、透明菓子を収容する菓子収容容器と、菓子収容容器を収容する外箱と、絵葉書とを備え、菓子収容容器は、少なくとも、その底面が、透明にされており、絵葉書が、その絵面を、菓子収容容器の底面側を向くように、菓子収容容器と、外箱との間に介挿される。
【００１２】
ここで、本明細書で用いる用語、「透明菓子」は、例えば、透明なゼリー菓子又は寒天菓子等である。透明なゼリー菓子又は寒天菓子は、透明であれば良く、着色されていてもよく、透明なゼリー菓子又は寒天菓子を透かして、絵葉書の絵面がその外部から見える限り、透明なゼリー菓子又は寒天菓子中に不透明な成分が混入されていてもよい。
【００１３】
また、本明細書で用いる用語、「絵葉書」は、通常のポストカードとして市販されている、絵画や写真等がその一表面に印刷され、他の面に宛名書き欄や文章記載欄が予め印刷されたものの他、その一面に自ら絵画を描いたりしたものや、写真その他の手製のものが含まれる。
【００１４】
請求項２に記載の菓子容器は、請求項１に記載の菓子容器の、外箱の底面が、絵葉書のサイズよりやや小さいサイズの開口窓を備える。
【００１５】
請求項３に記載の菓子容器は、請求項１又は請求項２に記載の菓子容器の、外箱が、菓子収容容器を収容する、上部に開口部を有する外箱本体部と、外箱本体部の１辺に接続するように設けられた蓋体部とを備え、蓋体部が、透明菓子を収容する菓子収容容器の底面の領域に相当する部分に開口窓を有し、且つ、外箱本体部の開口部に対し、開閉可能に設けられている。
【００１６】
請求項４に記載の菓子は、請求項１〜請求項３のいずれかに記載の菓子容器の、菓子収容容器内に、透明菓子を収容し、菓子収容容器の表面に、菓子収容容器内に収容されている透明菓子を覆うように透明シートのＰＴＰ包装をした。
【発明の効果】
【００１７】
請求項１に記載の菓子容器では、菓子収容容器として、その透明な底面を有するものを用い、絵葉書の絵面を、菓子収容容器の底面側を向くように、菓子収容容器と、外箱との間に介挿するようにしているので、菓子収容容器内に、例えば、透明菓子を収容した場合、透明菓子越しに、絵葉書の絵面が見える。
【００１８】
即ち、この菓子容器を用いれば、透明菓子を菓子収容容器内に収容した場合、これを土産物店の店頭に販売することを目的として展示した場合、土産物店を訪れる観光客等に絵葉書や土産物等とは異なった、視覚を通じて、購買意欲をかきたてる、新たな商品となる。
【００１９】
また、この菓子容器は、絵葉書の絵面（絵画や写真など）にちなんだ菓子その他の絵葉書の絵面（絵画や写真など）に関係した透明菓子を、菓子収容容器内に収容した状態で、郵送すれば、絵葉書を受け取った人は、差出人の近況を知ったり、絵葉書の絵面（絵画や写真など）を目で鑑賞したりすることができるだけでなく、絵葉書の絵面（絵画や写真など）にちなんだ菓子や、絵葉書の絵面（絵画や写真など）に関係した菓子を、舌で味わうことができる。
【００２０】
また、この菓子容器は、絵葉書の絵面（絵画や写真など）にちなんだ菓子その他の絵葉書の絵面（絵画や写真など）に関係した透明菓子を、菓子収容容器内に収容した状態で、郵送できるので、絵葉書の差出人の立場からすれば、従来、絵葉書を送っただけでは、絵葉書の受取人に対し失礼になるかもしれないが、絵葉書を送るとともに、別便で、菓子までを送ると大げさすぎるかもしれないような相手先に、差出人が、絵葉書だけを送って済ませるか、絵葉書を送るとともに、別便で、菓子も送るべきかについて悩む場合を解決する、いわゆる、ニッチ商品としての価値がある。
【００２１】
請求項２に記載の菓子容器は、外箱の底面に設ける開口窓を、絵葉書のサイズよりやや小さいサイズにしているので、絵葉書の絵面を、菓子収容容器の底面側を向くように、菓子収容容器と、外箱との間に介挿した場合、絵葉書が、外箱の底面に設ける開口窓から脱落することが無い。
【００２２】
また、外箱の底面に開口窓を設けているので、絵葉書の絵面（絵画や写真など）にちなんだ菓子その他の絵葉書の絵面（絵画や写真など）に関係した透明菓子を、菓子収容容器内に収容した状態で、郵送する際に、郵送する際の、外箱の底面に設けられている開口窓を通じて外部に露呈している、絵葉書の宛名書き欄に、切手を貼ったり、送り先の住所又は居所、氏名を記載したり、また、必要に応じて、近況等の文面等を記載するといった作業を簡単に行なえる。
【００２３】
請求項３に記載の菓子容器では、外箱の蓋体部として、透明菓子を収容する菓子収容容器の底面の領域に相当する部分に開口窓を有するものを外箱本体部に対して開閉可能に設けているので、蓋体部を閉じた状態にしても、蓋体部に設けられている開口窓を通じて、透明菓子を透過して、絵葉書の絵面が、外箱の外側から見える。これにより、土産物店等に、この菓子容器の菓子収容容器内に、透明菓子を収容した状態の菓子として、販売等の目的で展示すれば、菓子としての魅力と、絵葉書の絵面の魅力との協働により、土産物店を訪れる観光客等に、絵葉書や土産物等とは異なった、視覚を通じて、購買意欲をかきたてる、新たな商品となる。
【００２４】
また、この菓子容器の菓子収容容器内に、透明菓子が収容された菓子を郵送で受け取った受取人は、外箱の蓋体部を開けば、菓子収容容器内に収容されている透明菓子を、簡単に、食することができるので、絵葉書の絵面を視覚で楽しみながら、舌で、透明菓子を味わうことができる。
【００２５】
請求項４に記載の菓子は、請求項１〜請求項３のいずれかに記載の菓子容器を用いているので、絵葉書を受け取った人が、差出人の近況を知ったり、絵葉書の絵面（絵画や写真など）を目で鑑賞したりするだけでなく、菓子を舌で味わうことができるといった効果その他の請求項１〜請求項３のいずれかに記載の菓子容器の有する効果と同様の効果を奏する。
【００２６】
且つ、この菓子では、菓子収容容器の表面に、菓子収容容器内に収容されている透明菓子を覆うように透明シートのＰＴＰ包装しているので、大量生産に適しており、衛生的であり、且つ、菓子収容容器内に収容されている透明菓子を食する際には、ＰＴＰシートを菓子収容容器から引き剥がすだけでよいので、菓子収容容器内に収容されている透明菓子を簡単に食することができる。
【発明を実施するための最良の形態】
【００２７】
以下、本発明に係る菓子の一例を、図面を参照しながら、更に、詳しく説明する。
【００２８】
図１は、本発明に係る菓子容器を用いた菓子の一例を模式的に示す斜視図であり、図２は、図１に示す本発明に係る菓子容器を用いた菓子の蓋体部を開いた状態を模式的に示す斜視図であり、また、図３は、図１に示す本発明に係る菓子容器を用いた菓子を模式的に示す分解斜視図である。
【００２９】
この菓子１は、菓子容器２と、透明菓子３とを備える。
【００３０】
透明菓子３としては、例えば、透明なゼリー菓子又は寒天菓子が好ましい。透明なゼリー菓子又は寒天菓子は、透明であれば良く、着色されていてもよく、透明なゼリー菓子又は寒天菓子を透かして、絵葉書の絵面がその外部から見える限り、透明なゼリー菓子又は寒天菓子中に不透明な成分（例えば、花や、動物等の形をした不透明な砂糖菓子や羊羹やゼリーや寒天等の浮き身）が混入されていてもよい。
【００３１】
菓子容器２は、透明菓子３を収容する菓子収容容器４と、菓子収容容器４を収容する外箱５と、絵葉書６とを備える。
【００３２】
菓子収容容器４は、少なくとも、その底面Ｓ４ｂが、透明にされている。
【００３３】
そして、菓子収容容器４と、外箱５との間には、絵葉書６が、その絵面Ｓ６ａを、菓子収容容器４の底面Ｓ４ｂ側を向くように、菓子収容容器と、外箱との間に介挿されている。
【００３４】
この菓子容器１では、菓子収容容器４として、その底面Ｓ４ｂが透明なものを用い、絵葉書６の絵面Ｓ６ａが、菓子収容容器４の底面Ｓ４ｂ側を向くように、菓子収容容器４と、外箱５との間に介挿するようにしているので、菓子収容容器４内に、例えば、透明菓子３を収容した場合、透明菓子３越しに、絵葉書６の絵面Ｓ６ａが見える。
【００３５】
また、この例では、外箱５として、外箱本体部５ａと、外箱本体部５ａの１辺に接続するように設けられた蓋体部５ｂとを備え、外箱本体部５ａに対して開閉可能なものを用いている。
【００３６】
また、この例では、外箱５として、その底面にＳ５ｂに、絵葉書６のサイズよりやや小さいサイズの開口窓Ｗ５を備えるものを用いている。
【００３７】
図４は、外箱５と絵葉書６との関係を模式的に説明する説明図であり、外箱５の外箱本体部５Ａと絵葉書６との関係を模式的に底面図で表している。
【００３８】
この例では、開口窓Ｗ５の長さＬ５ｗａを、絵葉書６の長さＬ６ａよりやや小さくし（Ｌ５ｗａ＜Ｌ６ａ）、且つ、開口窓Ｗ５の幅Ｌ５ｗｂを、絵葉書６の幅Ｌ６ｂよりやや小さくしている（Ｌ５ｗｂ＜Ｌ６ｂ）。
【００３９】
また、この例では、外箱５の外箱本体部５ａの内壁面から内壁面の長さＬ５ａａを絵葉書６の長さＬ６ａに等しいかこれより極わずか大きくし（Ｌ５ａａ≧Ｌ６ａ）、且つ、外箱５の外箱本体部５ａの内壁面から内壁面の幅Ｌ５ａｂを絵葉書６の幅Ｌ６ｂに等しいかこれより極わずか大きくし（Ｌ５ａｂ≧Ｌ６ｂ）、外箱本体部５ａ内に、絵葉書６を収容した状態において、絵葉書６が、外箱本体部５ａ内で移動できないか、殆ど移動できないようにしている。
【００４０】
この例では、外箱５と絵葉書６とが、以上の関係を満たすようにしているので、絵葉書が、外箱の底面に設ける開口窓から脱落することが無い。
【００４１】
また、外箱５の底面Ｓ５ｂに開口窓Ｗ５を設けているので、絵葉書６の絵面（絵画や写真など）Ｓ６ａにちなんだ透明菓子３や、絵葉書６の絵面（絵画や写真など）Ｓ６ａに関係した透明菓子３を、菓子収容容器４内に収容した状態で、郵送する際に、郵送する際の、外箱５の底面Ｓ５ｂに設けられている開口窓Ｗ５を通じて外部に露呈している、絵葉書６の宛名書き欄（図４に示す宛名書き欄Ｓ６ｂを参照）に、切手を貼ったり、送り先の住所又は居所、氏名を記載したり、また、必要に応じて、近況等の文面等を記載するといった作業を簡単に行なえる。
【００４２】
尚、図３中、７で示す部材は、ＰＴＰ包装のプレススルーシート（透明シート）を示しており、プレススルーシート（透明シート）７は、ポリエチレン、ポリプロピレン等の透明な樹脂で製せられている。
【００４３】
また、４ｆで示す部分は、菓子収容容器４をＰＴＰ包装する際に、プレススルーシート７を接着又は熱融着させる際に用いる鍔体を示している。
【００４４】
この例では、このような鍔体４ｆを有する菓子収容容器４として、樹脂製の市販のものを使用している。
【００４５】
尚、この例のように、鍔体４ｆを有する菓子収容容器４を用いる場合には、菓子収容容器４を外箱５に収容した後において、外箱５内で、菓子収容容器４が移動しないように、菓子収容容器４の鍔体４ｆを含めた長さＬ４ａを、外箱５の外箱本体部５ａの内壁面から内壁面の長さＬ５ａａに等しいかこれより極わずか小さくし（Ｌ４ａ≦Ｌ５ａａ）、且つ、菓子収容容器４の鍔体４ｆを含めた幅Ｌ４ｂを、外箱５の外箱本体部５ａの内壁面から内壁面の幅Ｌ５ａｂに等しいかこれより極わずか小さくするようにすることが、好ましい（Ｌ４ｂ≦Ｌ５ａｂ）。
【００４６】
また、この例では、外箱５の蓋体部５ｂとして、透明菓子３を収容する菓子収容容器４の底面Ｓ４ｂの領域に相当する部分に開口窓Ｗ５ｂを有するものを用いている。
【００４７】
これにより、透明菓子３を収容した菓子収容容器４を外箱５の外箱本体部５ａに収容し、蓋体部５ｂを閉じた状態にした場合にも、菓子収容容器４と外箱５との間に介挿した絵葉書６の絵面Ｓ６ａが、菓子収容容器４の透明な底面Ｓ４ｂ、透明菓子を透して、蓋体部５ｂの開口窓Ｗ５ｂから外部に見えるようになっている。
【００４８】
尚、この開口窓Ｗ５ｂは、例えば、透明シート（例えば、透明な樹脂シート）で覆われていてもよい。また、図１に示すように、蓋体部５ｂが勝手に開くことを防止したり、いたずら防止等の目的のため、蓋体部５ｂと外箱本体部５ａとをシールＳで止めるようにしても良い。
【００４９】
この菓子容器２は、例えば、菓子製造業者等が、透明なゼリー菓子や透明な寒天菓子等の透明菓子３であって、絵葉書６の絵面（絵画や写真など）Ｓ６ａにちなんだ菓子等の、絵葉書６の絵面（絵画や写真など）Ｓ６ａに関係したものを、菓子収容容器４内に収容し、菓子収容容器内に収容されている透明菓子を覆うように透明シートのＰＴＰ包装したものを、外箱５の外箱本体部５ａに収容し、外箱５の外箱本体部５ａに対し、蓋体部５ｂを閉じた状態にした菓子（商品）１の状態にして（図１を参照）、例えば、土産物店等の店頭に販売等することを目的に展示される。
【００５０】
即ち、この菓子容器２を用いれば、透明菓子３を菓子収容容器４内に収容した場合、これを、例えば、土産物店等の店頭に展示した場合、土産物店等を訪れる観光客等に絵葉書や、饅頭や羊羹その他の菓子（土産物）等とは異なった、視覚を通じて、購買意欲をかきたてる、新たな商品となる。
【００５１】
また、この菓子容器２は、絵葉書６の絵面（絵画や写真など）Ｓ６ａにちなんだ菓子その他の絵葉書６の絵面（絵画や写真など）Ｓ６ａに関係した透明菓子３を、菓子収容容器４内に収容した状態で、郵送できるので、絵葉書６の差出人の立場からすれば、従来、絵葉書６を送っただけでは、絵葉書６の受取人に対し失礼になるかもしれないが、絵葉書６を送るとともに、別便で、菓子までを送ると大げさすぎるかもしれないような相手先であって、絵葉書６だけを送って済ませるか、絵葉書６を送るとともに、別便で、菓子も送るべきかについて悩む場合を解決するような、いわゆる、ニッチ商品としての価値がある。
【００５２】
更に、この菓子１では、透明菓子３を菓子収容容器４内に収容し、菓子収容容器４内に収容されている透明菓子３を覆うように透明シートのＰＴＰ包装しているので、この菓子１は、大量生産に適しており、衛生的であり、且つ、菓子収容容器４内に収容されている透明菓子３を食する際には、ＰＴＰシートを菓子収容容器４から引き剥がすだけで、菓子収容容器４内に収容されている透明菓子３を簡単に食することができる、という効果がある。
【００５３】
また、この菓子１を郵送した場合、絵葉書６を受け取った人は、差出人の近況を知ったり、絵葉書６の絵面（絵画や写真など）Ｓ６ａを目で鑑賞したりすることができるだけでなく、絵葉書６の絵面（絵画や写真など）Ｓ６ａにちなんだ菓子その他の絵葉書６の絵面（絵画や写真など）Ｓ６ａに関係した菓子を、舌で味わうことができる。
【００５４】
尚、上記発明を実施するための最良の形態では、外箱５として、その底面Ｓ５ｂに開口窓Ｗ５を有するものを中心に説明したが、これは、単なる例示であって、本発明に係る菓子容器には、外箱が、少なくとも、その底面が透明にされているものも含まれる。
【００５５】
また、上記発明を実施するための最良の形態では、外箱５として、蓋体部５ｂを備えるものについて説明したが、これは、単なる例示であって、本発明に係る菓子容器には、蓋体部５ｂが外箱と分離した別体とされているものや、蓋体部が無いものも含まれる。
【産業上の利用可能性】
【００５６】
本発明に係る菓子容器を用いた菓子は、絵葉書として名宛人に郵送することができるとともに、受取人が、絵葉書の絵面を目で鑑賞するととともに、菓子を舌で味わうことができるので、土産物店等の商品として幅広く利用できる。
【図面の簡単な説明】
【００５７】
【図１】本発明に係る菓子容器を用いた菓子の一例を模式的に示す斜視図である。
【図２】図１に示す本発明に係る菓子容器を用いた菓子の蓋体部を開いた状態を模式的に示す斜視図である。
【図３】図１に示す本発明に係る菓子容器を用いた菓子を模式的に示す分解斜視図である。
【図４】外箱と絵葉書との関係を模式的に説明する底面図である。
【符号の説明】
【００５８】
１  菓子
２  菓子容器
３  透明菓子
４  菓子収容容器
４ｆ  菓子収容容器の鍔体
５  外箱
５ａ  外箱本体部
５ｂ  蓋体部
６  絵葉書
Ｓ６ａ  絵葉書の絵面
Ｓ６ｂ  絵葉書の宛名書面
Ｓ４ｂ  菓子収容容器の透明な底面
Ｗ５、Ｗ５ｂ  開口窓
【図１】
2005280786.tif 000003
【図２】
2005280786.tif 000004
【図３】
2005280786.tif 000005
【図４】
2005280786.tif 000006